(57)【要約】【課題】  安定した粘着力が得られる基板固定用治具を提供する。【解決手段】  基板固定用治具１は、治具ベース３と、治具ベース３上に設けられた粘着層５と、を備えている。粘着層５は、基板Ｆを粘着固定する粘着面７を有し、粘着面７は、中央部９が平らにされ、周縁部１１が中央部よりも低くされている。従って、粘着面７の中央部９と基板Ｆとが密着しやすく、安定した粘着力が得られる。【選択図】  図１
2006013397.tif 000002
【特許請求の範囲】
【請求項１】
薄型基板を固定する基板固定用治具であって、
治具ベースと、前記治具ベース上に設けられた粘着層と、を備え、
前記粘着層は、前記薄型基板を粘着固定する粘着面を有し、
前記粘着面は、中央部が平らにされ、周縁部が前記中央部よりも低くされていること
を特徴とする基板固定用治具。
【請求項２】
前記粘着層の中央における厚みが４０〜５００μｍであることを特徴とする請求項１に記載の基板固定用治具。
【請求項３】
前記粘着面の前記中央部は、前記薄型基板上の電子部品が実装される実装領域に対応する大きさに設けられていることを特徴とする請求項１又は２に記載の基板固定用治具。
【請求項４】
前記治具ベース上において前記粘着層を囲むように設けられており、前記粘着面の前記中央部よりも高さが低いリブを備えたことを特徴とする請求項１〜３の何れか１項に記載の基板固定用治具。
【請求項５】
前記リブは、前記粘着層よりも硬質の材料で形成されていることを特徴とする請求項４に記載の基板固定用治具。
【発明の詳細な説明】
【技術分野】
【０００１】
本発明は、例えば、薄型基板の表面に電子部品を実装する際にその薄型基板を固定するために用いられる基板固定用治具に関するものである。
【背景技術】
【０００２】
フレキシブルプリント基板等の薄型基板上に電子部品を実装する実装工程においては、実装の位置精度等を高めるため、薄型基板が確実に固定されることが望まれる。従来、薄型基板を固定するための基板固定用治具として、特許文献１に開示されたものが知られている。この治具は、補強板上に粘着剤の層（粘着層）を設け、薄型基板を粘着層に重ねて配置することで、粘着剤の粘着力によって薄型基板を補強板上に固定するものである。
【特許文献１】特開２００１−２１０９９８号公報
【発明の開示】
【発明が解決しようとする課題】
【０００３】
フレキシブルプリント基板等の近年の薄型基板は、多層構造化に伴い剛性が高くなることがあると共に、回路の引き回しやカバーレイの張り合わせの影響で反りが発生することがある。また、両面実装の薄型基板では、銅箔回路や、銅箔回路が設けられた部分のスルーホールめっきにより、銅箔回路が設けられた部分とそれ以外の部分との間に段差が生じ、薄型基板の表面に凹凸が生じることとなる。このような薄型基板に電子部品を実装する実装工程においては、反った薄型基板を真っ直ぐに矯正して固定する必要があるので、基板固定用治具の粘着層には強い粘着力が要求される。また、強い粘着力を得るためには、基板固定用治具の粘着層の粘着面が、薄型基板の凹凸に追従して薄型基板の表面に密着することが必要であるので、粘着層にはある程度の厚みが要求される。すなわち、薄型基板の実装工程においては、強い粘着力とある程度の厚みを有する粘着層を備えた基板固定用治具が望まれる。
【０００４】
しかしながら、強い粘着力を得られる粘着剤は、一般に低分子でありシリカ等の補強用充填剤が少ないので、硬化前において粘度が低い液状を呈しする。このため、治具ベース上で流れやすく、厚く盛ることができない。そこで、本発明者らは、図８に示すように、粘着層の形状に開口した所定厚みのフィルムマスク１０１を治具ベース１０３の表面に被せ、その開口部１０５に液状の粘着剤１０７を浅めに流し込んで硬化させた後、フィルムマスク１０１を治具ベース１０３から剥がし取り去ることで、粘着層を形成することを考えた。
【０００５】
しかしながら、この場合、フィルムマスク１０１の開口部１０５に流し込んだ粘着剤１０７が、表面張力によってフィルムマスク１０１の内側面１０９に沿って盛り上がるので、この盛り上がり部分１１３がそのまま硬化して粘着層の周縁部の突起となってしまう。その結果、薄型基板と粘着層とが粘着した場合に、この突起が押し潰されて薄型基板を押し放す方向への残留応力が生じるので、安定した粘着力が得られない虞がある。
【０００６】
そこで本発明は、上記課題を解決するためになされたものであって、安定した粘着力が得られる基板固定用治具を提供することを目的とする。
【課題を解決するための手段】
【０００７】
上記課題を解決するため、本発明の基板固定用治具は、薄型基板を固定する基板固定用治具であって、治具ベースと、治具ベース上に設けられた粘着層と、を備え、粘着層は、薄型基板を粘着固定する粘着面を有し、粘着面は、中央部が平らにされ、周縁部が中央部よりも低くされていることを特徴とする。
【０００８】
この基板固定用治具では、平らにされた粘着面の中央部に薄型基板が粘着固定される。また、粘着面の周縁部は中央部よりも低いので、粘着面の中央部と薄型基板とが密着しやすく、安定した粘着力が得られる。
【０００９】
また、本発明の基板固定用治具は、粘着層の中央における厚みが４０〜５００μｍであることが好ましい。この場合は、粘着層の粘着面が薄型基板の表面の凹凸に追従しつつ粘着することが容易であるので、より安定した粘着力が得られる。
【００１０】
本発明の基板固定用治具は、粘着面の中央部が、薄型基板上の電子部品が実装される実装領域に対応する大きさに設けられていることを特徴としてもよい。この場合は、薄型基板上の実装領域が、対応する粘着面の中央部で安定して固定されるので、電子部品の実装が容易とされる。
【００１１】
また、本発明の基板固定用治具は、治具ベース上において粘着層を囲むように設けられており、粘着面の中央部よりも高さが低いリブを備えたことを特徴としてもよい。この場合は、粘着層がリブに囲まれているので、粘着層の周縁部が損傷することが抑制される。また、リブの高さは、粘着面の中央部の高さよりも低くされているので、粘着面の中央部に粘着された場合の薄型基板と接触することが少なく、粘着の妨げとならない。
【００１２】
また、リブは、粘着層よりも硬質の材料で形成されていることが好ましい。この場合は、粘着層の周縁部が損傷することが更に抑制される。
【発明の効果】
【００１３】
本発明によれば、安定した粘着力が得られる基板固定用治具を提供することができる。
【発明を実施するための最良の形態】
【００１４】
以下、本発明の実施の形態について説明する。なお、同一要素には同一符号を用い、重複する説明は省略する。なお、各図面の寸法比率は、必ずしも実際の寸法比率とは一致していない。
【００１５】
図１及び図２に示すように、基板固定用治具１は、両面に電子部品が実装される両面フレキシブルプリント基板（薄型基板、以下単に「基板」と称する。）Ｆを固定するために用いられる治具である。基板Ｆは、半田リフローによって、電子部品が実装領域Ｆ１に実装される予定の基板であり、基板Ｆは、実装領域Ｆ１に対応する下面が粘着層５に粘着されて治具ベース３に対して固定される。
【００１６】
基板固定用治具１は、治具ベース３と、治具ベース３の表面上に設けられた粘着層５とを備えている。治具ベース３はアルミニウム等の金属又はガラスエポキシ等の耐熱性樹脂からなる板状の部材である。粘着層５は、強い粘着性を有する材料からなることが好ましい。粘着層５の材料としては、架橋性のフッ素系樹脂（例えば、信越化学工業製  製品名X-72-6051）が用いられる。粘着層５の上面は粘着性を有する粘着面７とされており、基板Ｆを粘着固定できるようになっている。
【００１７】
粘着面７は、中央部９が平らに形成されると共に、周縁部１１は中央部９よりも低く形成されている。この周縁部１１は、縁に向かうに従って治具ベース３側に向かって湾曲し、外側に凸となった曲面となっている。従って、周縁部１１の高さは縁に向かうほど徐々に低くなっている。粘着面７の中央部９（平らな部分）は、基板Ｆの実装領域Ｆ１に対応する大きさの矩形に設けられている。すなわち、平面視において、実装領域Ｆ１が中央部９に完全に含まれるように設けられている。この基板Ｆは、半田リフロー工程において、その実装領域Ｆ１の反対側の面が粘着面７に密着されて固定される。
【００１８】
このような基板Ｆの両表面には、銅箔回路が形成されていると共に、表裏の銅箔回路を接続するためのスルーホールメッキが施されている。これらの銅箔回路やスルーホールメッキの段差のため、基板Ｆの両表面には、高低差１０〜４０μｍ程度の凹凸が生じている。このような凹凸を有する基板Ｆの表面を粘着層５の粘着面７に粘着する必要があるため、粘着層５の中央における厚みは４０〜５００μｍ（好ましくは１００〜３００μｍ）に設定される。このように、粘着層５が、基板Ｆ表面の凹凸に対して１〜５０倍（好ましくは５．０〜２０倍）の厚みを有することにより、粘着面７が基板Ｆの表面の凹凸に追従して変形することが可能とされ、粘着面７と基板Ｆの表面との密着性がよくなる。また、粘着面７の周縁部１１が中央部９よりも低いため、基板Ｆが中央部９に粘着された際に周縁部１１が基板Ｆに接触しないようになっている。このため、粘着時において周縁部１１に残留応力が発生しにくくなるので、粘着面７と基板Ｆとの密着性がよくなる。
【００１９】
粘着層５の材料が強い粘着性を示すことに加え、上記のように粘着面７と基板Ｆの表面との密着性がよくなるので、粘着面７と基板Ｆとの間の強い粘着力が得られる。この強い粘着力によって、基板Ｆに反りが発生している場合であっても、粘着層５は、基板Ｆを真っ直ぐに矯正しつつ粘着固定することができる。その結果、基板固定用治具１は、基板Ｆが風圧を受ける半田リフロー工程においても、基板Ｆを安定して固定することが可能である。また、中央部９が基板Ｆの実装領域Ｆ１に対応する大きさに設けられていることから、基板Ｆの実装領域Ｆ１が真っ直ぐに矯正され、安定して固定される。このため、実装領域Ｆ１におけるクリーム半田の塗布量のあばれを抑制することができるとともに、電子部品の実装位置のずれ、方向のずれを抑制することができる。
【００２０】
基板固定用治具１の治具ベース３の表面上には、粘着層５の周囲を囲むようにリブ１３が表面から突出して設けられている。リブ１３の内側の側面は粘着層５の外周面に接するように位置している。また、粘着層５がリブ１３の上面にまで乗り上げ、リブ１３の内側の側面と共にリブ１３の上面も粘着層５に接していてもよい。リブ１３は、治具ベース３の表面上へのスクリーン印刷によって形成されており、その治具ベース３の表面からの高さが、粘着面７の中央部９の高さよりも低くされている。このことから、リブ１３は、粘着面７に粘着された基板Ｆに接触することが少ないので、粘着面７と基板Ｆとの粘着の障害にならず、他の実装工程においても障害になりにくい。リブ１３の材料としては、粘着層５の材料よりも硬質の材料が用いられることが好ましい。ここでは、リブ１３の材料として、粘着層５の材料のフッ素系樹脂よりも硬質のフッ素系樹脂（例えば、信越化学工業製  製品名X-72-6049）が用いられる。
【００２１】
基板固定用治具１のメンテナンス時においては、粘着面７は、エチルアルコール等を用いてワイピングクロスでふき取られ洗浄される。粘着層５の材料は強い粘着性を確保するために補強性フィラーの含有量が少なくされているので、物理的に脆く、特に粘着層５の周縁部が損傷しやすい。ところが、基板固定用治具１の粘着層５は硬質のリブ１３に囲まれているので、粘着層５の汚れをワイピングクロスで拭き取る際に、ワイピングクロスが粘着層５の周縁部に当たらず、粘着層５の周縁部の損傷が抑制される。
【００２２】
続いて、基板固定用治具１の製造方法の一例として、第１の製造方法について説明する。この製造方法では、粘着層５の中央における厚みが０．２ｍｍ（２００μｍ）、リブ１３の高さが０．０２ｍｍ（２０μｍ）である基板固定用治具１が製造される。まず、厚さ１．５ｍｍ、１２０ｍｍ×１２０ｍｍの矩形の治具ベース３を準備する。準備した治具ベース３の表面上にリブ１３を形成するため、液状の架橋性材料（信越化学工業製  製品名X-72-6049、ゴム硬度７０°Ｈ）をスクリーン印刷により治具ベース３表面に塗布する。上記架橋性材料は、１００ｍｍ×１００ｍｍの矩形の縁を縁取りするように塗布し、塗布の幅は０．５ｍｍ、塗布の厚みは０．０２ｍｍとする。塗布後は、１５０℃で１０分間の加熱を行い、架橋性材料を架橋反応させ硬化させてリブ１３を完成する。このようにして、リブ１３に囲まれた領域として、１００ｍｍ×１００ｍｍの平面視矩形を呈する領域（以下「矩形領域１７」）が形成される（図３（ａ）参照）。
【００２３】
次に、粘着層５を形成する。粘着層５には硬化後の強い粘着性が要求されるので、低分子のフッ素系樹脂の材料（硬化前において液状を呈する）を用いる。液状のフッ素系樹脂材料１９（樹脂信越化学工業製  製品名X-72-6051、ゴム硬度２５°Ｈ、粘度８００ｃＰ）をディスペンサ（図示せず）を用いて矩形領域１７へ流し込む。このとき、フッ素系樹脂材料１９の密度は２．０ｇ／ｃｍ３、矩形領域１７の面積は１００ｃｍ２であるので、粘着層５の厚みを０．２ｍｍとするためには、流し込むフッ素系樹脂材料１９の量を４ｇとすればよい。
【００２４】
フッ素系樹脂材料１９が矩形領域１７に流し込まれたら、リブ１３が土手の役割を果たし、フッ素系樹脂材料１９が矩形領域１７外に流れ出すことが防止され、矩形領域１７内に溜まることとなる。この状態から、６０℃で３０分のエージングを行うことで、矩形領域１７内に溜まったフッ素系樹脂材料１９の液面は、中央部２３が平らで、周縁部２７が縁に向かうに従って治具ベース３側に向かって湾曲し外側に凸となった曲面を呈し、液面の周縁部２７の高さは縁に向かうほど徐々に低くなる（図３（ｂ）参照）。このように、表面張力によってフッ素系樹脂材料１９の液面が盛り上がるので、リブ１３の高さよりも高い液面が形成される。その後１５０℃で１０分間の加熱を行いフッ素系樹脂材料１９を架橋反応させ硬化させることで粘着層５が形成される。このように形成された粘着層５の粘着面７は、上記したフッ素系樹脂材料１９の液面と同様の形状となる。こうして、基板固定用治具１が完成する。
【００２５】
続いて、基板固定用治具１の第２の製造方法について説明する。上記の第１の製造方法と重複する点については説明を省略する。まず、治具ベース３上にリブ１３を形成し、そのリブ１３が形成された面に開口を有するメタルマスク３１を被せる（図４（ａ）参照）。図４（ａ）に示すように、メタルマスク３１は、金属材料からなり、矩形領域１７よりも小さい矩形を呈する開口３３が設けられている。メタルマスク３１は、開口３３の縁から治具ベース３側に向かって延びた断面矩形形状の筒状部３５を有しており、筒状部３５は少なくともリブ１３の高さよりも長く延びている。このように、筒状部３５の内側面によってメタルマスク３１の一方の面から他方の面へ貫通する開口３３が構成されている。メタルマスク３１は、筒状部３５の端部３７が矩形領域１７の治具ベース３に接触するように配置されるが、このとき、メタルマスク３１とリブ１３とは接触しないようになっている。
【００２６】
その後、ディスペンサ（図示せず）を用い、治具ベース３と開口（内側面）３３とで囲まれるスペース３９に、フッ素系樹脂材料１９が流し込まれ、フッ素系樹脂材料１９はスペース３９内に溜まる。フッ素系樹脂材料１９はその液面がメタルマスク３１の上面に達するまで流し込まれ、スペース３９から溢れた余分なフッ素系樹脂材料１９がスキージングにより取り除かれる（図４（ｂ））。このときスペース３９に溜まるフッ素系樹脂材料１９の重量が適量（４ｇ）になるように筒状部３５の寸法が設定されているので、矩形領域１７に流し込むべきフッ素系樹脂材料１９の量が容易に計り取られる。その後、メタルマスク３１を取り除き、６０℃で３０分のエージングを行うと、フッ素系樹脂材料１９が矩形領域１７内に広がり、リブ１３により塞き止められて矩形領域１７内に溜まる（図４（ｃ））。矩形領域１７内に溜まったフッ素系樹脂材料１９の液面は、上記した第１の製造方法におけるフッ素系樹脂材料１９の液面の形状と同じ形状となる。その後、フッ素系樹脂材料１９を架橋反応させ硬化させることで上記した第１の製造方法と同様の粘着層５が形成され、基板固定用治具１が完成する。
【００２７】
上記の第１の製造方法で製造した基板固定用治具１の寸法を実測したところ、粘着層５の中央における厚みは０．２０５ｍｍ（２０５μｍ）であり、リブ１３の高さは０．０２５ｍｍ（２５μｍ）であった。このように、第１の製造方法によれば、ほぼ設計通りの寸法の基板固定用治具１が得られた。また、第２の製造方法で製造した基板固定用治具１の寸法を実測したところ、粘着層５の中央における厚みは０．１９７ｍｍ（１９７μｍ）であり、リブ１３の高さは０．０２５ｍｍ（２５μｍ）であった。このように、第２の製造方法によっても、ほぼ設計通りの寸法の基板固定用治具１が得られた。
【００２８】
上記の第１及び第２の製造方法によれば、金型等の型を用いることなく、表面張力を利用して粘着層５の粘着面７の形状を形成しているので、型を作製する工程が不要である。また、上述したフィルムマスクを用いる方法（図８参照）では、粘着層の周縁部に突起が生じる不具合や、マスクを剥がす時に粘着層の縁部が損傷するという不具合があるが、上記の第１及び第２の製造方法によれば、これらの不具合が抑制される。
【００２９】
なお、本発明は上記の実施形態に限定されることなく種々の変形が可能である。例えば、上記した実施形態では、リブ１３を治具ベース３の表面上に形成することとしており、基板固定用治具１の製造を容易にする点で好ましいが、図５に示すように、治具ベース４３の表面上に一体的に凸条部４５を設け、凸条部４５をリブ１３の代わりとしてもよい。また、粘着面の中央部（平らな部分）が治具ベースの表面よりも高い位置に形成されれば、図６に示すように、治具ベース５３の表面に凹部５５を設け、凹部５５を矩形領域１７の代わりとしてもよい。図５及び図６に示すこれらの基板固定用治具も、基板固定用治具１と同様に表面張力を利用して粘着層の粘着面の形状を粘着面７と同様に形成することが可能である。従って、図５及び図６に示すこれらの基板固定用治具も、基板固定用治具１と同様の作用効果を奏する。
【００３０】
また、粘着層５としては、半田リフロー温度（２５０℃程度）に対する耐熱性が必要とされるため、例えば、シリコーン樹脂、ポリイミドシリコーン樹脂、硬化性官能基を有するフッ素化ポリエーテルの骨格を有するフッ素系エラストマーを用いることが好ましい。しかし、粘着層５の材料は、基板Ｆに対する粘着性を有するものであれば、フッ素系樹脂材料には限られず、架橋性樹脂であることも必須ではない。なお、基板固定用治具１の上記第１及び第２の製造方法によって粘着層５を形成する場合には、フッ素系樹脂材料１９の粘度は、１００〜１００００ｃＰであることが好ましく、１００〜３０００ｃＰであることが更に好ましい。
【００３１】
また、リブ１３の材料としても、半田リフロー温度に対する耐熱性が必要とされるため、例えば、ポリイミドシリコーン樹脂、硬化性官能基を有するフッ素化ポリエーテルの骨格を有するフッ素系エラストマーを用いることが好ましいが、これに限られるものではない。リブ１３は、粘着層５よりも硬質である方が粘着層５の周縁部の損傷を抑制する点で好ましいが、上記第１及び第２の製造方法において矩形領域１７を囲む土手の役割を果たせば、粘着層５よりも軟質であってもよい。
【００３２】
また、上記の実施形態では、基板Ｆが粘着面７の中央部９よりも大きく、実装領域Ｆ１が粘着面７の中央部９よりも小さくされているが、基板Ｆの全体を中央部９へ粘着させるように粘着面７の大きさを基板Ｆより大きく設けてもよい。
【００３３】
また、上記の実施形態では、基板固定用治具１は、１つの粘着層５を備えているが、基板固定用治具は複数の粘着層を備えてもよい。このような例として、図７に示すように、基板固定用治具６１は、２つの粘着層５ａ，５ｂを備えている。この基板固定用治具６１は、２つの実装領域Ｆ１ａ，Ｆ１ｂを有する基板Ｆ１０を粘着固定するために用いられる。粘着層５ａ，５ｂの中央部９ａ，９ｂ（平らな部分）は、それぞれ、実装領域Ｆ１ａ、Ｆ１ｂに対応する大きさ及び位置に設けられている。すなわち、平面視において、実装領域Ｆ１ａ，Ｆ１ｂが中央部９ａ，９ｂに完全に含まれるように設けられている。このように、中央部９ａ，９ｂが基板Ｆ１０の実装領域Ｆ１ａ、Ｆ１ｂにそれぞれ対応する大きさ及び位置に設けられていることから、基板Ｆ１０の実装領域Ｆ１ａ、Ｆ１ｂがそれぞれ中央部９ａ，９ｂに安定して固定される。
【００３４】
上記の実施形態では、粘着面７の周縁部１１を、縁に向かうに従って治具ベース３側に向かって湾曲し、外側に凸となった曲面として形成したが、本発明では、粘着面の周縁部の形状はこれに限られない。周縁部１１を中央部９よりも低く形成すれば、例えば、周縁部１１を平面状の傾斜面としてもよく、他の形状としてもよい。また、上記の実施形態では、表面張力を利用して粘着面７の周縁部１１を低く形成したが、本発明ではこれに限られず、例えば、金型等の型による成形又は物理的な加工によって粘着面７の周縁部１１を低くしてもよい。
【図面の簡単な説明】
【００３５】
【図１】実施形態に係る基板固定用治具の斜視図である。
【図２】図１のII-II線に沿った断面図である。
【図３】（ａ）、（ｂ）は、基板固定用治具の製造工程を説明するための断面図である。
【図４】（ａ）、（ｂ）、（ｃ）は、基板固定用治具の製造工程を説明するための断面図である。
【図５】基板固定用治具の変形例を示す断面図である。
【図６】基板固定用治具の変形例を示す断面図である。
【図７】基板固定用治具の変形例を示す斜視図である。
【図８】フィルムマスクを用いて基板固定用治具を製造する方法を説明するための断面図である。
【符号の説明】
【００３６】
１，６１…基板固定用治具、３，４３，５３…治具ベース、５，５ａ，５ｂ…粘着層、７…粘着面、９，９ａ，９ｂ…中央部、１１…周縁部、１３…リブ、１７…矩形領域、１９…フッ素系樹脂材料、３１…メタルマスク、Ｆ，Ｆ１０…基板（薄型基板）、Ｆ１，Ｆ１ａ，Ｆ１ｂ…実装領域。
【図１】
2006013397.tif 000003
【図２】
2006013397.tif 000004
【図３】
2006013397.tif 000005
【図４】
2006013397.tif 000006
【図５】
2006013397.tif 000007
【図６】
2006013397.tif 000008
【図７】
2006013397.tif 000009
【図８】
2006013397.tif 000010